(57)【要約】【課題】搬送ベルトと補給樋との間にパチンコ玉を挟持した状態で搬送するパチンコ玉搬送装置においてパチンコ玉を安定的に供給することのできるパチンコ玉搬送装置を提供する。【解決手段】遊技機島２の前後長手方向に水平に配置された無端状の搬送ベルト１０の直下にパチンコ玉４の直径と、ほぼ等しい間隔Ａを開けて設けられた平板部２１と、前記搬送ベルト１０の直上に前記パチンコ玉４の直径よりやや狭い間隔Ｂを開けて設けられた搬送ベルト浮き止め板１１とを備え、前記搬送ベルト１０の移動によって、平板部２１の上面を前記パチンコ玉４が移動する補給樋２０と、前記補給樋２０に備えられ、前記搬送ベルト１０の移動によって、前記補給樋２０のパチンコ玉４を中継貯留タンク３３に供給するための供給ホッパー３０と、前記供給ホッパー３０にパチンコ玉オーバーフロー排出口３１を備え、前記パチンコ玉オーバーフロー排出口３１の底面位置Ｃが前記平板部２１の位置より高い位置に開口されている。【選択図】  図２
2011045456.tif 000002
【特許請求の範囲】
【請求項１】
左右に背合わせ状にパチンコ機を配列して形成される遊技機島の上部に設けられ、中継貯留タンクにパチンコ玉を供給する装置であって、前記遊技機島の前後長手方向に水平に配置され、少なくとも上流端部と下流端部に設けた少なくとも二つのローラーに懸架され、上位直線部、下位直線部を形成する無端状の搬送ベルトと、前記下位直線部を形成する搬送ベルトの直下にパチンコ玉の直径と、ほぼ等しい間隔を開けて設けられた平板部と、前記下位直線部を形成する搬送ベルトの直上に前記パチンコ玉の直径よりやや狭い間隔を開けて設けられた搬送ベルト浮き止め板とを備えたことを特徴とするパチンコ玉搬送装置。
【請求項２】
左右に背合わせ状にパチンコ機を配列して形成される遊技機島の上部に設けられ、中継貯留タンクにパチンコ玉を供給する装置であって、前記遊技機島の前後長手方向に水平に配置され、少なくとも上流端部と下流端部に設けた少なくとも二つのローラーに懸架され、上位直線部、下位直線部を形成する無端状の搬送ベルトと、前記下位直線部を形成する搬送ベルトの直下にパチンコ玉の直径と、ほぼ等しい間隔を開けて設けられた平板部と、前記下位直線部を形成する搬送ベルトの直上に前記パチンコ玉の直径よりやや狭い間隔を開けて設けられた搬送ベルト浮き止め板とを備え、請求項１において、さらに、前記搬送ベルトの移動によって、前記平板部の上面を前記パチンコ玉が移動する補給樋と、前記補給樋に備えられ、前記搬送ベルトの移動によって、前記補給樋の前記パチンコ玉を前記中継貯留タンクに供給するための供給ホッパーと、前記供給ホッパーにパチンコ玉オーバーフロー排出口を備え、前記パチンコ玉オーバーフロー排出口の底面位置が前記平板部の位置より高い位置に開口されていることを特徴とする請求項１に記載のパチンコ玉搬送装置
【請求項３】
搬送ベルト浮き止め板が着脱自在に備えたことを特徴とする請求項１または２のいずれかに記載のパチンコ玉搬送装置
【発明の詳細な説明】
【技術分野】
【０００１】
本発明は、パチンコ遊技場の遊技機島に設けられ、その遊技機島を構成する中継貯留タンクへパチンコ玉を供給するための搬送装置に関するものである。
【背景技術】
【０００２】
パチンコ遊技場においては、左右に背合わせ状に配列された複数のパチンコ機によって遊技機島が構成され、この遊技機島の上部には、各中継貯留タンクにパチンコ玉を供給するための搬送装置が設けられている。
【０００３】
従来、パチンコ玉の搬送装置としては、駆動装置で周回する搬送ベルトと、その直下に設けた平版状の補給樋との間でパチンコ玉を挟持して搬送し、各パチンコ機へ供給する搬送装置がある（例えば特許文献１、特許文献２参照）
【先行技術文献】
【特許文献】
【０００４】
【特許文献１】特開２００５−２７９３１１号公開
【特許文献２】特開２００８−３０２１０４号公開
【発明の概要】
【発明が解決しようとする課題】
【０００５】
しかしながら、従来のパチンコ玉搬送装置を遊技機島に設置した場合に、以下にのべるような課題がある。例えば、上記の特許文献１に開示されたような搬送装置では、搬送ベルトの回動によって、強制的に送り込まれるパチンコ玉が補給樋上で滞ることなく循環するには、補給樋の下流側にオーバーフロー路を備え、強制的に搬送させられたパチンコ玉をオーバーフロー路へ回避させる方法が必要である。しかし、強制的に搬送方向に誘導する搬送装置ではオーバーフロー路への搬送が優先し、補給路の途中に備えた補給シュートへの供給が適宜になされないと言った課題がある。
【０００６】
そこで、搬送ベルトによって強制的に搬送されるパチンコ玉を強制的に阻止し、補給する方法が考えられるが、しかし、常時、強制的に送り込まれるパチンコ玉が補給樋の許容範囲を超えたとき搬送ベルトの移動押圧によってパチンコ玉を押し上げ、補給路と搬送ベルトとの間にパチンコ玉が重なり合う等して、安定した供給が出来なくなるといった問題が発生する
【０００７】
一方、特許文献２に記載の搬送装置では補給樋と搬送ベルトを同一角度に傾斜させることによって、パチンコ玉の自重を利用して補給路の途中に備えた複数の補給シュートにパチンコ玉を優先的に供給する方法が考えられている。しかしながら、パチンコ玉はパチンコ玉の自重により傾斜側に流れ込むため、補給樋の長手方向の距離が長くなればなる程、パチンコ玉の列数が縮小し、搬送能力が低下し、補給シュートへのパチンコ玉供給が適宜になされないといった課題がある。
【０００８】
本発明は、こうした問題に鑑み創案されたもので、搬送トラブルを無くし、パチンコ玉を安定的に供給することのできるパチンコ玉搬送装置を提供することを目的とする。
【課題を解決するための手段】
【０００９】
図１乃至図４を参照して説明する。請求項１に記載のパチンコ玉搬送装置１は、左右に背合わせ状にパチンコ機を配列して形成される遊技機島２の上部に設けられ、中継貯留タンク３３にパチンコ玉を供給する装置であって、前記遊技機島２の前後長手方向に水平に配置され、少なくとも上流端部と下流端部に設けた少なくとも二つのローラー１２に懸架され、上位直線部１３、下位直線部１４を形成する無端状の搬送ベルト１０と、前記下位直線部１４を形成する搬送ベルト１０の直下にパチンコ玉４の直径と、ほぼ等しい間隔Ａを開けて設けられた平板部２１と、前記下位直線部１４を形成する搬送ベルト１０の直上に前記パチンコ玉４の直径よりやや狭い間隔Ｂを開けて設けられた搬送ベルト浮き止め板１１とを備える。
【００１０】
請求項２に記載のパチンコ玉搬送装置１は、左右に背合わせ状にパチンコ機を配列して形成される遊技機島２の上部に設けられ、中継貯留タンク３３にパチンコ玉４を供給する装置であって、前記遊技機島２の前後長手方向に水平に配置され、少なくとも上流端部と下流端部に設けた少なくとも二つのローラー１２に懸架され、上位直線部１３、下位直線部１４を形成する無端状の搬送ベルト１０と、前記下位直線部１４を形成する搬送ベルト１０の直下にパチンコ玉４の直径と、ほぼ等しい間隔Ａを開けて設けられた平板部２１と、前記下位直線部１４を形成する搬送ベルト１０の直上に前記パチンコ玉４の直径よりやや狭い間隔Ｂを開けて設けられた搬送ベルト浮き止め板１１とを備え、請求項１において、さらに、前記搬送ベルト１０の移動によって、前記平板部２１の上面を前記パチンコ玉４が移動する補給樋２０と、前記補給樋２０に備えられ、前記搬送ベルト１０の移動によって、前記補給樋２０の前記パチンコ玉４を前記中継貯留タンク３３に供給するための供給ホッパー３０と、前記供給ホッパー３０にパチンコ玉オーバーフロー排出口３４を備え、前記パチンコ玉オーバーフロー排出口３４の底面位置Ｃが前記平板部２１位置より高い位置に開口されている。
【００１１】
請求項３に記載のパチンコ玉搬送装置１は、請求項１に記載の発明において、搬送ベルト浮き止め板１１が着脱自在に備えたものである。
【発明の効果】
【００１２】
請求項１に記載のパチンコ玉搬送装置１は、搬送ベルト１０の直上にパチンコ玉４の直径より狭い間隔Ｂを開けて搬送ベルト浮き止め板１１を備えたことで、パチンコ玉４の搬送トラブルを無くし、パチンコ玉を安定的に供給することが出来る。
【００１３】
すなわち、搬送ベルト１０によって搬送されるパチンコ玉４は、補給樋２０の上面を下流側に強制的に移動し、下流側端部に設けた玉止ストッパー２３で、パチンコ玉４の移動を阻止し、移動を阻止されたパチンコ玉４は、搬送ベルト１０の移動押圧によってパチンコ玉４を乗り越えようとする力が加わるが、搬送ベルト１０の直上にパチンコ玉４の直径より狭い間隔Ｂを開けて備えた搬送ベルト浮き止め板１１が、パチンコ玉４が重なり合うことを阻止し、玉噛み等のトラブルを回避し、安定した玉供給ができる。
【００１４】
また、搬送ベルト１０の直上にパチンコ玉４の直径より狭い間隔Ｂを開けて搬送ベルト浮き止め板１１を備えたことにより、搬送ベルト１０の自重以上の負荷が搬送ベルト１０にかからず、搬送ベルト１０の磨耗を最小限に抑えることが出来る。
【００１５】
請求項２に記載のパチンコ玉搬送装置１は、請求項１に記載の発明と同様の効果を発揮する。また、供給ホッパー３０にパチンコ玉オーバーフロー排出口３１を備え、パチンコ玉オーバーフロー排出口３１の底面位置Ｃを平板部２１の位置より高い位置に備えたことにより、各供給ホッパー３０に適宜必要に応じてパチンコ玉４を供給することができる。
【００１６】
すなわち、オーバーフロー排出口３１の底面位置Ｃを補給樋２０の平板部２１より高い位置に備えたことにより、パチンコ玉は中継貯留タンク３３への供給を優先し、必要以上に補給樋２０に送り込まれたパチンコ玉４のみが搬送ベルト１０の移動押圧によって供給ホッパー３０上で盛り上がり、オーバーフロー排出口３１から排出される。
【００１７】
したがって、供給ホッパー３０への供給を優先させるために搬送ベルト１０および補給樋２０を左右短尺方向の一方側に傾斜させ、パチンコ玉４の自重をもってパチンコ玉４を供給するといった方法をとる必要は無い。
【００１８】
また、搬送ベルト１０および補給樋２０を傾斜させる必要がないので、パチンコ玉４を効率よく、且つ安定的に供給することが出来る。
【００１９】
請求項３に記載のパチンコ玉搬送装置１は、請求項１および２に記載の発明と同様の効果を発揮する。また、搬送ベルト浮き止め板１１を着脱自在に備えたことで、搬送ベルト１０の交換および補修を極めて容易に行うことが出来る。
【図面の簡単な説明】
【００２０】
【図１】本発明に係るパチンコ玉搬送装置の実施形態を示す側面構成図である。
【図２】図１に示す搬送装置の要部を示した斜視図である。
【図３】図１に示す搬送装置の要部を示す側面拡図である。
【図４】図１に示す搬送装置の要部を示す正面拡大図である。
【発明を実施するための形態】
【００２１】
本発明に係るパチンコ玉搬送装置１の実施形態を、図１乃至図４に示す。これは、左右に背合わせ状にパチンコ機３を配列して形成される遊技機島２の上部に設けられ、各パチンコ機３に供給するための中継貯留タンク３３にパチンコ玉４を供給する装置であり、搬送ベルト１０、補給樋２０、搬送ベルト浮き止め板１１、および供給ホッパー３０を備える。
【００２２】
搬送ベルト１０は、遊技機島２の前後長手方向に水平に配置され、上流側と下流側に設けた少なくとも二つのローラー１２に懸架され、上位直線部１３と下位直線部１４を形成する無端状のものである。なお、本実施形態では、下流側のローラーをモーターで駆動する駆動ローラー１２aとし、上流側のローラーを従動ローラー１２bとしている。
【００２３】
補給樋２０は、下位直線部１４の直下に、パチンコ玉４の直径とほぼ等しい間隔Ａを開けて設けられている。(図４参照)また、補給樋２０の上面をパチンコ玉４が移動する平板部２１を備え、下位直線部１４の移動によってその上面をパチンコ玉４が移動するものである。
【００２４】
搬送ベルト浮き止め板は１１、下位直線部１４の直上に、パチンコ玉４の直径より狭い間隔Bを開けて設けられ、(図４参照)また、着脱自在に構成されている。
【００２５】
供給ホッパー３０は、補給樋２０の長手方向の側壁２２両側に沿ってほぼ等間隔で複数設けられ、補給樋２０のパチンコ玉４が搬送ベルト１０の移動押圧によって供給ホッパー側に弾き出されたパチンコ玉４を受けて中継貯留タンク３３に供給するものである。
【００２６】
本実施形態に係るパチンコ玉搬送装置１は、次のように作動する。まず、モーターを稼動して下流側のローラー（駆動ローラー１２a）を回転させ、搬送ベルト１０を周回させる。この搬送ベルト１０の周回により、揚送機構５０によって供給部５１に揚送されたパチンコ玉４を、搬送ベルト１０の下位直線部１４によって移動させ、補給樋２０の平板部２１との間に挟むようにして下流側に送り込み、供給ホッパー３０を解して中継貯留タンク３３に供給する。
【００２７】
搬送ベルト１０によって搬送されるパチンコ玉４は、補給樋２０の上面を下流側に移動し、下流側端部に設けた玉止ストッパー２３で、パチンコ玉の移動を阻止する。移動を阻止されたパチンコ玉４は、搬送ベルト１０の移動押圧によってパチンコ玉４を乗り越えようとする力が加わるが、搬送ベルト１０の直上にパチンコ玉４の直径より狭い間隔Ｂを開けて備えた搬送ベルト浮き止め板１１により、パチンコ玉４が重なり合うことを阻止し、玉噛み等のトラブルを回避することで、安定した玉供給ができる。
【００２８】
この際、搬送ベルト１０の回動によって、強制的に送り込まれたパチンコ玉４が補給樋２０の許容範囲以上に送り込まれたとき、パチンコ玉４は搬送ベルト１０の移動押圧によって供給ホッパー側に弾き出され、そのパチンコ玉４を供給ホッパー３０が受けて中継貯留タンク３３に供給することになる。
【００２９】
また、搬送ベルト１０と搬送ベルト浮き止め板１１との間に間隔Ｂを備えたことで、搬送ベルト１０の自重以上の負荷が搬送ベルト１０にかからず、搬送ベルトの磨耗を最小限に抑えることが出来る。
【００３０】
一方、搬送ベルト１０の回動によって強制的、且つ必要以上に補給樋２０に送り込まれたパチンコ玉４は、供給ホッパー３０のオーバーフロー排出口３１から排出され、排出されたパチンコ玉４は回収機構５２を通じて循環されることになる。
【００３１】
また、オーバーフロー排出口３１の底面位置Cを補給樋２０の平板部２１より高い位置に備えたことにより、パチンコ玉４は中継貯留タンク３３への供給を優先し、必要以上に補給樋に送り込まれたパチンコ玉のみが搬送ベルト１０の移動押圧によって供給ホッパー３０上で盛り上がり、オーバーフロー排出口３１から排出される。
【符号の説明】
【００３２】
１      パチンコ玉搬送装置
２      遊技機島
３      パチンコ機
４      パチンコ玉
１０    搬送ベルト
１１    搬送ベルト浮き止め板
１２    ローラー
１２a   駆動ローラー
１２b   従動ローラー
１３    上位直線部
１４    下位直線部
２０    補給樋
２０a   島内補給樋
２１    平板部
２２    側壁
２３    玉止ストッパー
３０    供給ホッパー
３１    オーバーフロー排出口
３２    オーバーフロー管
３３    中継貯留タンク
３４    中継貯留タンク玉出口
３５    補給分離器
５０    揚送機構
５１    供給部
５２    回収機構
Ａ      間隔
Ｂ      間隔
Ｃ      底面位置        
【図１】
2011045456.tif 000003
【図２】
2011045456.tif 000004
【図３】
2011045456.tif 000005
【図４】
2011045456.tif 000006